(57)【要約】【課題】  ブロックどうしの正確な位置合わせを容易に行うことができ、さらに、工期を短縮することができる貯水槽を提供する。【解決手段】  複数の本体ブロックと、妻壁ブロックとを組み合わせることによって内部に貯水空間を形成した貯水槽において、妻壁ブロックに凹状の座部を設けるとともに、本体ブロックに座部と係合可能な凸状の受け部を設けた。【選択図】図1
2005307436.tif 000002
【特許請求の範囲】
【請求項１】
複数の本体ブロックと、妻壁ブロックとを組み合わせることによって内部に貯水空間を形成した貯水槽において、
前記妻壁ブロックに凹状の座部を設けるとともに、前記本体ブロックに前記座部と係合可能な凸状の受け部を設けたことを特徴とする貯水槽。
【請求項２】
前記座部又は前記受け部の少なくともいずれか一方に、前記妻壁ブロックと前記本体ブロックとの左右方向の位置ずれを補正する左右位置補正手段を設けたことを特徴とする請求項1に記載の貯水槽。
【請求項３】
前記受け部は、着脱自在としたことを特徴とする請求項1又は2に記載の貯水槽。
【発明の詳細な説明】
【技術分野】
【０００１】
本発明は、貯水槽に関するものである。
【背景技術】
【０００２】
従来より、地下に大規模な貯水槽を建設することによって、大雨の際に降った雨水をこの貯水槽に一旦貯留させた後、徐々に河川に排水することで洪水の発生を未然に防止するようにしていた。
【０００３】
この貯水槽は、形状の異なる複数種類のコンクリートブロックを組み合わせることにより内部に貯水空間を形成していた。
【０００４】
具体的に説明すると、まず、地盤に凹状の窪地を形成し、その後、この窪地に天井壁と底壁とを柱で連結した断面H字形の複数の本体ブロックをクレーンなどの重機により吊り下げて順次設置していく。
【０００５】
このとき、先に設置した本体ブロックの底壁の辺と次に設置する本体ブロックの底壁の辺どうしを接合させるとともに、各天井壁の辺どうしも同様に接合させて設置することにより本体ブロックを1列に並べた本体ブロック列を形成する。
【０００６】
次に、この本体ブロック列を複数列並べて設置することにより本体ブロック領域を形成する。
【０００７】
このとき、各本体ブロック列の長辺どうしを接合させることにより、底壁と天井壁との間に貯水空間を形成する。
【０００８】
次に、天井壁と底壁とを板状の柱で連結した断面コ字形の複数の端部用本体ブロックをクレーンなどの重機により吊り下げて各本体ブロック列の始端部と終端部に順次設置していく。
【０００９】
このとき、この端部用本体ブロックは、壁状の柱側が貯水槽の外側となり、端部用本体ブロックの底壁の辺と本体ブロック列の始端部及び終端部を構成する本体ブロックの底壁の辺とを接合させるとともに、各天井壁の辺どうしも同様に接合させることにより、本体ブロック列の始端部及び終端部の開口部を閉塞する。
【００１０】
最後に、本体ブロック領域の両側を構成する本体ブロック列の両側の開口部に板状の妻壁ブロックを複数枚取付けることによって本体ブロック領域の両側の開口部を閉塞して貯水槽を形成していた。
【００１１】
この妻壁ブロックを取付ける際には、まず、妻壁ブロックをクレーンなどの重機により吊り下げたままの状態（図示略）で、この妻壁ブロックの位置と妻壁ブロックを取り付ける本体ブロックの位置とが合うように大まかな位置合わせを行う。
【００１２】
次に、妻壁ブロックを吊り下げた状態のままで、図6に示すように、本体ブロック101に設けたボルト挿入孔102の位置と、妻壁ブロック100に設けたボルト挿入孔103の位置とを正確に合わせる微調整を行った後に、この妻壁ブロック100に設けたボルト挿入孔103に挿入したボルト104で妻壁ブロック100を本体ブロック101に取付けていた（たとえば、特許文献１参照。）。
【特許文献１】特開平7-207742号公報
【発明の開示】
【発明が解決しようとする課題】
【００１３】
ところが、上記従来の貯水槽は、妻壁ブロック100を吊り下げた状態のままで、本体ブロック101に設けたボルト挿入孔102の位置と、妻壁ブロック100に設けたボルト挿入孔103の位置とを正確に合わせる微調整を行う必要があったため、この微調整に手間と時間を要することとなり、これにより貯水槽建設の工期が長期化するおそれがあった。
【００１４】
また、この妻壁ブロック100は、非常に大きな部材であり、その重量も非常に重いので、妻壁ブロック100を吊り下げた状態のままで上記した微調整を行うためにはクレーンなどの重機を自在に操作する高い技術が必要であった。
【課題を解決するための手段】
【００１５】
そこで、請求項1に係る本発明では、複数の本体ブロックと、妻壁ブロックとを組み合わせることによって内部に貯水空間を形成した貯水槽において、妻壁ブロックに凹状の座部を設けるとともに、本体ブロックに座部と係合可能な凸状の受け部を設けた。
【００１６】
また、請求項2に係る本発明では、座部又は受け部の少なくともいずれか一方に、妻壁ブロックと本体ブロックとの左右方向の位置ずれを補正する左右位置補正手段を設けた。
【００１７】
また、請求項3に係る本発明では、受け部は、着脱自在とした。
【発明の効果】
【００１８】
本発明では、以下に記載するような効果を奏する。
【００１９】
請求項1に係る本発明では、複数の本体ブロックと、妻壁ブロックとを組み合わせることによって内部に貯水空間を形成した貯水槽において、妻壁ブロックに凹状の座部を設けるとともに、本体ブロックに座部と係合可能な凸状の受け部を設けたため、妻壁ブロックをクレーンなどの重機で吊り下げた状態のままで妻壁ブロックの位置の微調整を行う必要がなくなり、本体ブロックに設けた凸状の受け部に、妻壁ブロックに設けた凹状の座部を係合するだけで、本体ブロックと妻壁ブロックとの正確な位置合わせを容易に行うことができるので、貯水槽建設の工期を短縮することができる。
【００２０】
また、請求項2に係る本発明では、座部又は受け部の少なくともいずれか一方に、妻壁ブロックと本体ブロックとの左右方向の位置ずれを補正する左右位置補正手段を設けたため、この左右位置補正手段に沿って本体ブロックに設けた凸状の受け部に、妻壁ブロックに設けた凹状の座部を係合するだけで、本体ブロックと妻壁ブロックとの左右方向の位置合わせを容易に行うことができるので、貯水槽建設の工期をより一層短縮することができる。
【００２１】
また、請求項3に係る本発明では、受け部は、着脱自在としたため、この凸状の受け部は、何度でも再利用することができるので、貯水槽の建設コストが増大することを未然に防止することができる。
【発明を実施するための最良の形態】
【００２２】
本発明に係る貯水槽は、複数の本体ブロックと、妻壁ブロックとを組み合わせることによって内部に貯水空間を形成した貯水槽である。
【００２３】
特に、妻壁ブロックの所定位置に凹状の座部を設けるとともに、本体ブロックの所定位置に座部と係合可能な凸状の受け部を設けるようにしている。
【００２４】
また、座部には、座部と受け部との当接部側から妻壁ブロックの端部側へ向かうにつれて開口幅が徐々に広くなるように形成した左右位置補正手段を設けている。
【００２５】
さらに、この座部は、凹状部分の深さを予め定めた所定の深さになるように形成することによって妻壁ブロックの上下方向の位置決めができるようにしている。
【００２６】
また、受け部は、断面L字形のアングル部材により構成している。
【００２７】
この受け部には、アングル部材の水平面の先端側の辺が基端側の辺よりも短くなるように形成した左右位置補正手段を設けている。
【００２８】
さらに、受け部には、アングル部材の水平面の高さが本体ブロックの底面から所定の高さとなるように形成することによって妻壁ブロックの上下方向の位置決めができるようにしている。
【００２９】
このように、妻壁ブロックに設けた座部と本体ブロックに設けた受け部とに左右位置補正手段を設けたことにより、妻壁ブロックを本体ブロックに取付ける際は、妻壁ブロックと本体ブロックとの位置が左右方向に多少ずれている場合であっても、受け部に座部を係合するだけで妻壁ブロックと本体ブロックとの正確な位置合わせを容易に行うことができ、その後、妻壁ブロックと本体ブロックとの両方に予め設けておいたボルト孔に挿入するボルトによって、手間と時間をかけずに妻壁ブロックを本体ブロックに取付けることができる。
【００３０】
また、この受け部は、本体ブロックに着脱自在に取付けるようにしているため、何度でも再利用することができ、貯水槽の建設コストが増大することを未然に防止することができる。
【００３１】
以下に、本発明に係る貯水槽について図面を参照しながら説明する。
【００３２】
貯水槽1は、図1に示すように、天井壁と底壁とを柱で連結した断面H字形の複数の本体ブロック2と、天井壁と底壁とを板状の柱で連結した断面コ字形の複数の端部用本体ブロック3と、板状の複数の頂部用本体ブロック4と、板状の複数の妻壁ブロック5とから構成している。
【００３３】
これら本体ブロック2と端部用本体ブロック3と頂部用本体ブロック4と妻壁ブロック5とは、いずれも所定形状の型枠を用いて予め形成しておいたコンクリート製のブロックである。
【００３４】
そして、これら複数種類のコンクリート製のブロックを組み合わせることによって内部に貯水用の空間を設けた貯水槽1を形成している。
【００３５】
また、これらのコンクリート製のブロックどうしの接合面には、全て防水用のシール部材を設けており、このコンクリート製のブロックどうしの接合部から貯水した雨水が貯水槽1の外部へ漏出することを防止するようにしている。
【００３６】
特に、妻壁ブロック5は、下端側の2箇所に凹状の座部6を設けている。
【００３７】
この座部6には、図2に示すように、開口端の幅aが後述する受け部7と座部6との当接部分の幅bよりも広い略台形状となるように形成した左右位置補正手段を設けている。
【００３８】
そのため、妻壁ブロック5を本体ブロック2に取付ける際には、受け部7の上方から座部6を降下させるだけで、自動的に本体ブロック2と妻壁ブロック5との左右方向の位置のずれを補正しながら取付けることができる。
【００３９】
さらに、座部6は、この座部6の開口部の深さcを予め定めた所定の深さとなるように形成している。
【００４０】
そして、妻壁ブロック5を本体ブロック2に取付ける際に、受け部7の上方から座部6を降下させ、受け部7と座部6とを係合させることにより妻壁ブロック5の上下方向の位置決めを行うようにしている。
【００４１】
また、本体ブロック2は、図1に示すように、底壁の側面の2箇所に、座部6と係合可能な受け部7を設けている。
【００４２】
この受け部7は、図3及び図4に示すように、断面L字形のアングル部材により構成しており、その垂直面8を本体ブロック2の底壁の側面に当接させた状態で受け部用ボルト9により着脱自在に取付けている。
【００４３】
また、受け部7の水平面10には、先端側の辺の長さeが基端側の辺の長さdよりも短い略台形状となるように形成した左右位置補正手段を設けている。
【００４４】
そのため、妻壁ブロック5を本体ブロック2に取付ける際には、座部6を受け部7側へ押し込むだけで、自動的に本体ブロック2と妻壁ブロック5との左右方向の位置のずれを補正しながら取付けることができる。
【００４５】
さらに、この受け部7は、アングル部材の水平面10の高さfを本体ブロック2の底壁の底面から所定の高さとなるように形成している。
【００４６】
そして、妻壁ブロック5を本体ブロック2に取付ける際に、受け部7の上方から座部6を降下させ、受け部7と座部6とを係合させることにより
妻壁ブロック5の上下方向の位置決めを行うようにしている。
【００４７】
なお、この貯水槽1の所定位置には、雨水を貯水槽1の内部に流入させる入水口と、貯水槽1の内部の雨水を外部へ排出する排水口とを設けており（図示略）、降雨時の雨水を一旦貯留させた後、この貯留させた雨水を徐々に河川などに排水することにより、洪水の発生を未然に防止するようにしている。
【００４８】
そして、このような形状の異なる複数種類のコンクリート製のブロックを用いて、以下のようにして貯水槽１を形成する。
【００４９】
まず、地盤に凹状の窪地を形成し（図示略）、その後、図1に示すように、この窪地に本体ブロック2を順次設置していく。
【００５０】
このとき、先に設置した本体ブロック2の底壁の辺と次に設置する本体ブロック2の底壁の辺どうしを接合させるとともに、各天井壁の辺どうしも同様に接合させて設置することにより本体ブロック2を1列に並べた本体ブロック列11を形成する。
【００５１】
次に、この本体ブロック列11と同様に形成した複数の本体ブロック列11を所定の間隔をあけて複数列設置した後、この本体ブロック列11を構成する各本体ブロック2どうしをPC鋼材（図示略）により密着固定する。
【００５２】
次に、端部用本体ブロック3を各本体ブロック列11の始端部と終端部に順次設置した後、この端部用本体ブロック3どうしの間にも複数の端部用本体ブロック3を設置することにより端部用本体ブロック列12を形成し、その後、この端部用本体ブロック列12と本体ブロック列とをPC鋼材により密着固定する。
【００５３】
このとき、全ての端部用本体ブロック3は、板状の柱側が貯水槽1の外側を向くように設置する。
【００５４】
次に、本体ブロック列11の各底壁と端部用本体ブロック列12の各底壁によって囲まれた地盤の表面にコンクリートを打設することにより底壁層13を形成する。
【００５５】
次に、各本体ブロック列11の天井壁どうしの間に複数枚の頂部用本体ブロック4を架設することによって貯水槽1の上面を閉塞する。
【００５６】
最後に、貯水槽1の両側を構成する本体ブロック列11の外側に妻壁ブロック5を複数枚取付けることによって貯水槽1の両側の開口部を閉塞し、内部に貯水用の空間を形成することにより貯水槽1を形成する。
【００５７】
この妻壁ブロック5を取付ける際には、まず、妻壁ブロック5をクレーンなどの重機により本体ブロック2の付近まで降下させ（図示略）、この妻壁ブロック5の位置と妻壁ブロック5を取り付ける本体ブロック2の位置とが合うように大まかな位置合わせを行う。
【００５８】
次に、妻壁ブロック5を降下させる。
【００５９】
このとき、座部6と受け部7との位置が左右方向に多少ずれている場合であっても、受け部7に設けた左右位置補正手段によって座部6と受け部7との左右方向の位置ずれは自動的に補正される。
【００６０】
さらに、座部6と受け部7が係合する位置まで妻壁ブロック5を降下させるだけで、妻壁ブロック5の上下方向の位置決めを自動的に行うことができる。
【００６１】
このようにして上下及び左右方向の位置決めを行った後、妻壁ブロック5を受け部7に設けた左右位置補正手段にそって本体ブロック2側へ押し込むだけで、妻壁ブロック5のボルト孔15の位置と本体ブロック2のボルト孔14の位置とを容易かつ正確に合せることができる。
【００６２】
次に、妻壁ブロック5のボルト孔15から挿入する組み立て用ボルト16で妻壁ブロック5を本体ブロック2に取付ける。
【００６３】
このように、本発明に係る貯水槽1は、本体ブロック2に凸状の受け部7を設けるとともに、妻壁ブロック5に凹状の座部6を設けたことによって、この受け部7と座部6とを係合させるだけで、容易かつ正確に妻壁ブロック5のボルト孔15と本体ブロック2のボルト孔14との位置を合せることができるので、従来のように、妻壁ブロック5を吊り下げた状態のままでクレーンなどの重機を操作して、妻壁ブロック5のボルト孔15と本体ブロック2のボルト孔14との位置を合わせる微調整を行う必要がなくなる。
【００６４】
これにより、妻壁ブロック5の取付けを行うために、クレーンなどの重機を自在に操作する高い技術が必要なくなるだけでなく、妻壁ブロック5の取り付けに要する時間を短縮することができるので、貯水槽1の建設の工期を短縮することもできる。
【００６５】
また、妻壁ブロック5に設ける左右位置補正手段の別の実施例として、図5に示すように、座部6の本体ブロック2と当接する側の開口幅を本体ブロック2と当接しない側の開口幅よりも広く形成することによっても、上記した左右位置補正手段と同様に、妻壁ブロック5を本体ブロック2に取付ける際には、座部6を受け部7側へ押し込むだけで、自動的に本体ブロック2と妻壁ブロック5との左右方向の位置のずれを補正しながら取付けることができる。
【図面の簡単な説明】
【００６６】
【図１】本発明に係る貯水槽を示す斜視図である。
【図２】座部及び受け部を示す拡大正面図である。
【図３】座部及び受け部を示す側面断面図である。
【図４】受け部を示す拡大斜視図である。
【図５】座部の他の実施例を示す断面図である。
【図６】従来の貯水槽を示す部分斜視図である。
【符号の説明】
【００６７】
１  貯水槽
２  本体ブロック
３  端部用本体ブロック
４  頂部用本体ブロック
５  妻壁ブロック
６  座部
７  受け部
８  垂直面
９  受け部用ボルト
１０  水平面
１１  本体ブロック列
１２  端部用本体ブロック列
１３  底壁層
１４  本体ブロックのボルト孔
１５  妻壁ブロックのボルト孔
１６  組み立て用ボルト
【図１】
2005307436.tif 000003
【図２】
2005307436.tif 000004
【図３】
2005307436.tif 000005
【図４】
2005307436.tif 000006
【図５】
2005307436.tif 000007
【図６】
2005307436.tif 000008